【事件の表示】
　平成１０年特許願第２７４０９１号「液晶表示装置およびそのデータ線駆動回路」拒絶査定不服審判事件〔平成１２年　４月　７日出願公開、特開２０００−　９８４１６〕について、次のとおり審決する。
【結　論】
　本件審判の請求は、成り立たない。
【理　由】
Ｉ．手続の経緯
　本願は、平成１０年９月２８日の出願であって、平成１９年３月２６日に手続補正がなされ、その後同年４月２５日付けで拒絶査定がなされ、これに対し、同年５月３１日に拒絶査定不服審判請求がなされるとともに同年７月２日に手続補正がなされたものである。
　
　
　
ＩＩ．平成１９年７月２日付けの手続補正についての補正却下の決定
［補正却下の決定の結論］
　平成１９年７月２日付けの手続補正（以下「本件補正」という。）を却下する。
［理由］
１．補正の内容  
　本件補正は、本件補正前の請求項１を、以下のように補正することを含むものである。  
「液晶パネル部の所定の画素セルへ、データ処理回路から供給される画像データの書き込みを行う際に、外部から供給される駆動用信号に基づいて所定の駆動線を駆動する駆動回路を有する液晶表示装置であって、
　上記駆動回路は、上記液晶パネル部と一体的に形成されて液晶表示部を構成し、
　上記データ処理回路は、上記液晶表示部に所定の実装技術に基づく接続部で接続され、かつ、
　上記データ処理回路の回路基板および接続部には、上記駆動回路へ供給すべき駆動用信号の供給ラインが配線され、当該配線を通して上記駆動回路に駆動用信号が供給され、
　上記駆動回路は、上記液晶パネル部の上記接続部と対向する領域に対する両端部に形成され、
　上記接続部は複数形成され、
　上記駆動用信号を供給するための配線は、回路基板に上記液晶表示部における接続部との接続領域と並行するように配線され、当該回路基板配線の一端部から最も一端側に位置する上記接続部に配線され、さらに上記液晶パネル部の一端部において上記一端側の駆動回路に接続するように形成され、当該回路基板配線の他端部から最も他端側に位置する上記接続部に配線され、さらに上記液晶パネル部の他端部において上記他端側の駆動回路に接続するように形成されており、
　上記複数の接続部における上記駆動用信号の配線長は、等価である
　液晶表示装置。」
 　 
 　 
２．新規事項
　上記本件補正の内容は、補正前の請求項１に、「上記複数の接続部における上記駆動用信号の配線長は、等価である」ことを追加すること（以下「本件補正事項」という。）を含むものである。 
 　 
　この点について検討する。
　上記本件補正事項に関して、願書に最初に添付した明細書または図面（以下「当初明細書等」という。）には、以下の記載がある。
　
ア　「【００３５】
　さらに、データ線駆動回路２０Ａには、この液晶表示装置においては、ポリシリコンＴＦＴにより液晶パネル部１１と一体形成されたゲート線駆動回路１２，１３へ供給するための制御信号ＶＳＴ、および垂直同期等のクロック信号ＶＣＫ１，ＶＣＫ２の供給ライン（配線ＰＬ）が形成され、かつ、接続部２１２−１Ａおよび２１２−ＮＡを通して、ゲート線駆動回路１２，１３にそれぞれ接続されている。
　すなわち、本実施形態の液晶表示装置は、図１のように、ゲート線駆動回路１２，１３を液晶パネル部１１の左右両側部に配置するレイアウトの場合であっても、ゲート線駆動回路１２，１３への制御信号ＶＳＴ、クロック信号ＶＣＫ１，ＶＣＫ２の供給ラインをパネル部の左右に長く配線することなく、外部のデータ線駆動回路２０Ａの回路基板２１１Ａと接続部２１２−１Ａ，２１２−ＮＡを通して、額縁ＦＲＭの上部の左右両側で短い配線で接続する構成となっている。
　したがって、配線長のほとんどを、銅箔等を用いて形成することができることから、低インピーダンスの配線が可能となっている。
　【００３６】
　次に、上記構成による動作を説明する。
　クロック信号ＨＣＫ１，ＨＣＫ２、並びに画像データＩＭＤが、データ線駆動回路２０Ａの回路基板２１１Ａに形成された配線を伝搬されて、サンプリング回路２１に供給される。
　また、駆動信号ＶＳＴ、クロック信号ＶＣＫ１，ＶＣＫ２が、データ線駆動回路２０Ａの回路基板２１１Ａに形成された配線および接続部２１２−１Ａ，２１２−ＮＡの配線を通して、液晶パネル部１１と一体的に形成されたシフトレジスタからなるゲート線駆動回路１２，１３にそれぞれ供給される。」 
　
イ　「【００３８】
　また、ゲート線駆動回路１２，１３においては、データ線駆動回路２０Ａの回路基板２１１Ａに形成された配線および接続部２１２−１Ａ，２１２−ＮＡの配線ＰＬを通して入力された駆動信号ＶＳＴ、クロック信号ＶＣＫ１，ＶＣＫ２に基づいて、ライン選択信号が発生されて、所定のゲート線ＧＬ１〜ＧＬｎに供給される。
　これにより、画像データがｍ個の画素セルに対して並列に書き込まれる。
　なお、駆動信号ＶＳＴ、クロック信号ＶＣＫ１，ＶＣＫ２は低インピーダンスの配線を通して供給されることから、配線インピーダンスに基づく回路の誤動作、画質の劣化は生じない。
　【００３９】
　以上説明したように、本実施形態によれば、ゲート線駆動回路１２，１３を液晶パネル部１１の左右両側部に配置するレイアウトの場合に、ゲート線駆動回路１２，１３への制御信号ＶＳＴ、クロック信号ＶＣＫ１，ＶＣＫ２の供給ラインをパネル部の左右に長く配線することなく、外部のデータ線駆動回路２０Ａの回路基板２１１Ａと接続部２１２−１Ａ，２１２−ＮＡを通して、額縁ＦＲＭの上部の左右両側で短い配線で接続する構成としたので、有効画面としての液晶パネル部１１以外の周辺部を小さくでき、装置の小面積化、狭額縁化を実現でき、ひいてはコスト低減を図れる利点がある。
　また、配線の低インピーダンス化を図れることから、配線インピーダンスに基づく回路の誤動作、画質の劣化を防止できる。」
　
　また、
ウ　制御信号ＶＳＴ等の供給ラインが、回路基板２１１Ａ及び接続部２１２−１Ａ、２１２−ＮＡを通して、ゲート線駆動回路へ接続されること、が図２から見て取れる。
　
　しかしながら、上記本件補正事項自体については記載がされておらず、また、該本件補正事項が当初明細書等の記載から自明な事項である、ということもできないから、本件補正事項が、当初明細書等のすべての記載を総合することにより導かれる技術的事項との関係において、新たな技術的事項を導入しないものということはできない。
　
　よって、上記本件補正事項を含む本件補正は、当初明細書等に記載した事項の範囲内においてなされたものとはいえない。
　
　
３．むすび  
　したがって、本件補正は、平成１４年法律第２４号改正附則第３条第１項によりなお従前の例によるとされる同法による改正前の特許法第１７条の２第３項の規定に違反するので、同法第１５９条第１項で読み替えて準用する同法第５３条第１項の規定により却下されるべきものである。 
　
　
　
ＩＩＩ．本願発明について
１．本願発明
　平成１９年７月２日付けの手続補正は、上記ＩＩで検討したとおり却下されたので、本願の請求項１に係る発明は、平成１９年３月２６日付け手続補正によって補正された明細書、特許請求の範囲及び図面の記載からみて、その特許請求の範囲の請求項１に記載された次の事項によって特定されるものである。
「【請求項１】
　液晶パネル部の所定の画素セルへ、データ処理回路から供給される画像データの書き込みを行う際に、外部から供給される駆動用信号に基づいて所定の駆動線を駆動する駆動回路を有する液晶表示装置であって、
　上記駆動回路は、上記液晶パネル部と一体的に形成されて液晶表示部を構成し、
　上記データ処理回路は、上記液晶表示部に所定の実装技術に基づく接続部で接続され、かつ、
　上記データ処理回路の回路基板および接続部には、上記駆動回路へ供給すべき駆動用信号の供給ラインが配線され、当該配線を通して上記駆動回路に駆動用信号が供給され、
　上記駆動回路は、上記液晶パネル部の上記接続部と対向する領域に対する両端部に形成され、
　上記液晶パネル部は上記接続部により上記データ処理回路と接続され、
　上記一端側の駆動回路は上記接続部の一端側に形成された駆動用信号の配線と接続されて上記駆動用信号が供給され、
　上記他端側の駆動回路は上記接続部の他端側に形成された駆動用信号の配線と接続されて上記駆動用信号が供給される
　液晶表示装置。」（以下、「本願発明」という。）
　
　ただし、請求項１中の「上記一端側の駆動回路は上記接続部の一端側に形成された配線されと接続され」及び「上記他端側の駆動回路は上記接続部の他端側に形成された配線されと接続され」は、それぞれ、「上記一端側の駆動回路は上記接続部の一端側に形成された駆動用信号の配線と接続され」及び「上記他端側の駆動回路は上記接続部の他端側に形成された駆動用信号の配線と接続され」の誤りであると認められるから、これらの点を修正の上、上記のとおり本願発明の認定を行った。
　
２．刊行物記載の発明
　本願の出願前に頒布され、原査定の拒絶の理由に引用された刊行物である特開平５−２８１５１５号公報（以下「引用刊行物１」という。）には、図面とともに以下の事項が記載されている。
　
ア　「【特許請求の範囲】
【請求項１】マトリクス状に形成された複数の走査線と複数の信号線の各交差部に薄膜トランジスタが形成されたアクティブマトリクス基板であって、該アクティブマトリクス基板上に走査用駆動回路が形成されたものにおいて、
該アクティブマトリクス基板上の一端に、該複数の信号線の各々と外部の信号用駆動回路の各信号出力端子との間を接続するための接続端子が設けられると共に、該接続端子の一部に該アクティブマトリクス基板上の該走査用駆動回路に外部から走査用データ、クロック及び電源を供給するための走査用接続端子が設けられたアクティブマトリクス基板。
【発明の詳細な説明】
【０００１】
【産業上の利用分野】本発明は、液晶表示装置等で用いられる薄膜トランジスタを備えたアクティブマトリクス基板に関する。」
　
イ　「【００１６】図１に示すように、本実施例のアクティブマトリクス基板１は、基板上に多数の走査線１１と信号線１２とが直交して形成されている。走査線１１と信号線１２との各交差部には、図２に示すように、非晶質シリコンによるＮチャンネル型の薄膜トランジスタ１５が形成されている。薄膜トランジスタ１５は、ゲートを走査線１１に接続されることにより、この走査線１１がＨレベルになると導通するようになっている。また、信号線１２は、この薄膜トランジスタ１５のソース−ドレイン間を介して蓄積容量１６及び液晶層容量１７に接続されている。・・・（略）・・・。」
　
ウ　「【００１８】上記ガラス基板１０１に対向して配置される対向側ガラス基板１１３には、液晶層容量１７の他方の電極となる対向電極ＩＴＯ層１１４とカラーフィルタ１１５及び配向膜１１６が形成され、これらガラス基板１０１と対向側ガラス基板１１３との間には、液晶１１７が充填されている。
【００１９】従って、図２に示した薄膜トランジスタ１５が導通し、信号線１２に送られて来た表示用データ信号が液晶層容量１７の絵素電極ＩＴＯ層１１０と対向電極ＩＴＯ層１１４との間に印加されると、液晶１１７の分子配向が制御されて、絵素ごとの表示を行うことができるようになる。
【００２０】アクティブマトリクス基板１上には、非晶質半導体によって走査用駆動回路１３も形成されている。走査用駆動回路１３は、シフトレジスタ１３ａと出力バッファ１３ｂとからなり、このシフトレジスタ１３ａの各パラレル出力が出力バッファ１３ｂを介して基板上の各走査線１１に配線パターンによって接続されている。
【００２１】また、アクティブマトリクス基板１上には、配線パターンによる接続端子１８が設けられると共に、この接続端子１８の一部が走査用接続端子１８ａとして設定されている。この接続端子１８には、ＴＡＢフィルム６の一端が接続される。ＴＡＢフィルム６は、フレキシブルな有機フィルム上に薄膜リード６ａ、６ｂを多数形成したものである。そして、大多数の薄膜リード６ａの一端側は、接続端子１８の配線パターンを介して各信号線１２に接続されることになる。また、少数の薄膜リード６ｂの一端側は、接続端子１８における走査用接続端子１８ａの配線パターンを介して走査用駆動回路１３のシフトレジスタ１３ａと出力バッファ１３ｂに接続されることになる。
【００２２】上記ＴＡＢフィルム６の他端は、信号用駆動ＩＣ４と図示しないＰＷＢ基板に接続されている。そして、このＴＡＢフィルム６上の大多数の薄膜リード６ａの他端側は、信号用駆動ＩＣ４の各信号出力端子に接続されている。また、少数の薄膜リード６ｂの他端側は、ＰＷＢ基板上の配線パターンを介してこのＰＷＢ基板に配置された図示しないコントローラの走査用データ、クロック及び電源の各出力端子に接続されている。
【００２３】上記構成により、信号用駆動ＩＣ４の各信号出力端子から出力される表示用データ信号は、ＴＡＢフィルム６上の薄膜リード６ａを介して接続端子１８から各信号線１２に送られる。また、ＰＷＢ基板上のコントローラから供給される走査用データ、クロック及び電源は、ＴＡＢフィルム６上の薄膜リード６ｂを介して接続端子１８における走査用接続端子１８ａから走査用駆動回路１３のシフトレジスタ１３ａと出力バッファ１３ｂに送られる。従って、この走査用駆動回路１３のシフトレジスタ１３ａは、コントローラからのクロックに従って走査用データをシフトさせパラレル出力のＨレベルを順次切り換えることにより、出力バッファ１３ｂを介して各走査線１１を走査することができる。」
　
エ　引用刊行物１の「アクティブマトリクス基板」は、液晶表示装置において用いられるものであるから、引用刊行物１には、「アクティブマトリクス基板を用いる液晶表示装置」が記載されている、といえる。
　
オ　アクティブマトリクス基板１上の多数の走査線１１と信号線１２とが直交配置された領域が「液晶表示領域」であることは明らかであるから、該アクティブマトリクス基板１上の「液晶表示領域」片側に走査用駆動回路１３が形成されること、が図１から見て取れる。
 　 
　したがって、上記記載事項を総合すると、引用刊行物１には次の発明（以下「引用発明１」という。）が記載されているものと認められる。 
 　 
「マトリクス状に形成された複数の走査線と複数の信号線の各交差部に薄膜トランジスタが形成されたアクティブマトリクス基板を用いる液晶表示装置であって、
　走査用駆動回路が前記アクティブマトリクス基板上の液晶表示領域片側に形成され、
　前記アクティブマトリクス基板はＴＡＢフィルムにより信号用駆動ＩＣと接続されており、
　前記信号用駆動ＩＣの各信号出力端子から出力される表示用データ信号が、前記ＴＡＢフィルム上の薄膜リード６ａを介して前記アクティブマトリクス基板の接続端子から各信号線に送られるとともに、コントローラから供給される走査用データ、クロック及び電源が、ＰＷＢ基板上の配線パターン及び前記ＴＡＢフィルム上の薄膜リード６ｂを介して前記接続端子における走査用接続端子から前記走査用駆動回路に送られる、
　アクティブマトリクス基板を用いる液晶表示装置。」 
 　 
 　 
　同じく、本願の出願前に頒布され、原査定の拒絶の理由に引用された刊行物である特開平５−４５６６８号公報（以下「引用刊行物２」という。）には、図面とともに以下の事項が記載されている。 
　
カ　「【０００１】
【産業上の利用分野】本発明は、アクティブマトリックス型液晶表示装置に関し、特に高速動作を必要とする液晶表示装置の駆動回路の実装構造に関する。」
　
キ　「【００８０】図１は、本発明の実施例を示すものでありゲ−トドライバのみを一体形成しドレインドライバはＴＡＢで実装したディスプレイモジュ−ルを示している。
【００８１】図１で液晶パネル３の中央部に有効表示部５９があり、ゲ−トドライバ２は周辺部６０に有効表示部内のＴＦＴと一体形成されている。
【００８２】液晶パネルの外周部に外部電源からの給電された回路基板６１が配置され、樹脂板上に金属配線が為されたＴＡＢ６２が回路基板６１と液晶パネルの周辺端子を電気接続している。
【００８３】ＴＡＢ６２上にはシフトレジスタ、サンプルホ−ルド及び出力バッファとからなるドレインドライバ２が搭載されている。」 
　
ク　以下の（ア）及び（イ）が図１から見て取れる。
（ア）中央部に有効表示部５９を有する液晶パネル３の、該有効表示部５９の左右の周辺部にゲートドライバ１が一体形成されること。
（イ）液晶パネルの上下外周部に回路基板６１が配置されること。
 　 
　したがって、上記記載事項を総合すると、引用刊行物２には次の発明（以下「引用発明２」という。）が記載されているものと認められる。 
 　 
「中央部に有効表示部を有する液晶パネルの、該有効表示部の左右の周辺部にゲートドライバが一体形成されるとともに、前記液晶パネルの上下外周部に外部電源からの給電された回路基板が配置され、金属配線が為されるとともにその上にドレインドライバが搭載されたＴＡＢが前記回路基板と前記液晶パネルの周辺端子を電気接続するアクティブマトリックス型液晶表示装置。」 
　
３．対比
  本願発明と引用発明１とを対比する。
　
ア　引用発明１の「走査用駆動回路」、「ＴＡＢフィルム」、「信号用駆動ＩＣ」及び「液晶表示装置」は、それぞれ本願発明の「駆動回路」、「接続部」、「データ処理回路」及び「液晶表示装置」に相当する。 
　
イ　本願発明の「液晶表示部１０」は、有効画面領域である液晶パネル部１１の左右両側部にゲート線駆動回路１２，１３が配置されたものであるから（【００３０】、図２参照。）、引用発明１の「アクティブマトリクス基板」は、本願発明の「液晶表示部」に相当する、といえる。
　
ウ　本願発明の「液晶パネル部１１」は有効画面領域であるから（【００３０】参照。）、引用発明１の「液晶表示領域」は、本願発明の「液晶パネル部」に相当する。
　
エ　引用発明１は、「マトリクス状に形成された複数の走査線と複数の信号線の各交差部に薄膜トランジスタが形成されたアクティブマトリクス基板を用いる」ものであり、「信号用駆動ＩＣの各信号出力端子から出力される表示用データ信号が、前記ＴＡＢフィルム上の薄膜リード６ａを介して前記アクティブマトリクス基板の接続端子から各信号線に送られるとともに、コントローラから供給される走査用データ、クロック及び電源が、ＰＷＢ基板上の配線パターン及び前記ＴＡＢフィルム上の薄膜リード６ｂを介して前記接続端子における走査用接続端子から前記走査用駆動回路に送られる」ものであるから、本願発明の「液晶パネル部の所定の画素セルへ、データ処理回路から供給される画像データの書き込みを行う際に、外部から供給される駆動用信号に基づいて所定の駆動線を駆動する駆動回路を有する」なる事項を備える。
　
オ　引用発明１の「走査用駆動回路」は、「アクティブマトリクス基板上の液晶表示領域片側に形成され」るから、引用発明１は、本願発明の「駆動回路は、上記液晶パネル部と一体的に形成されて液晶表示部を構成し」なる事項を備える。
　
カ　引用発明１は、「アクティブマトリクス基板はＴＡＢフィルムにより信号用駆動ＩＣと接続されて」いるから、本願発明の「データ処理回路は、液晶表示部に所定の実装技術に基づく接続部で接続され」なる事項を備えるとともに、「液晶パネル部は接続部によりデータ処理回路と接続され」なる事項を備える。
　
キ　引用発明１は、「コントローラから供給される走査用データ、クロック及び電源が、ＰＷＢ基板上の配線パターン及び前記ＴＡＢフィルム上の薄膜リード６ｂを介して前記接続端子における走査用接続端子から前記走査用駆動回路に送られる」から、本願発明と、「接続部には、上記駆動回路へ供給すべき駆動用信号の供給ラインが配線され、当該配線を通して上記駆動回路に駆動用信号が供給され」る点で一致する。
 　 
　したがって、両者は、　  
「液晶パネル部の所定の画素セルへ、データ処理回路から供給される画像データの書き込みを行う際に、外部から供給される駆動用信号に基づいて所定の駆動線を駆動する駆動回路を有する液晶表示装置であって、
　上記駆動回路は、上記液晶パネル部と一体的に形成されて液晶表示部を構成し、
　上記データ処理回路は、上記液晶表示部に所定の実装技術に基づく接続部で接続され、かつ、
　上記接続部には、上記駆動回路へ供給すべき駆動用信号の供給ラインが配線され、当該配線を通して上記駆動回路に駆動用信号が供給され、
　上記液晶パネル部は上記接続部により上記データ処理回路と接続される
　液晶表示装置。」 
である点で一致し、以下の点において相違する。 
 　 
相違点
　本願発明は、駆動回路が液晶パネル部の接続部と対向する領域に対する両端部に形成され、上記一端側の駆動回路は接続部の一端側に形成された駆動用信号の配線と接続されて駆動用信号が供給され、上記他端側の駆動回路は上記接続部の他端側に形成された駆動用信号の配線と接続されて駆動用信号が供給されるとともに、駆動回路へ供給すべき駆動用信号の供給ラインが、データ処理回路の回路基板に配線されるのに対し、引用発明１は、駆動回路が液晶パネル部の片側に形成され、また、駆動回路へ供給すべき駆動用信号の供給ラインがデータ処理回路の回路基板に配線されるのかどうか不明な点。
 　 
４．判断  
　上記相違点につき検討する。 
　引用発明１と同様に、「液晶パネルの上外周部に」「回路基板が配置され」、「金属配線が為されるとともにその上にドレインドライバが搭載されたＴＡＢが前記回路基板と前記液晶パネルの周辺端子を電気接続するアクティブマトリックス型液晶表示装置」において、該「液晶パネルの」「中央部に有効表示部を」設けるとともに、「該有効表示部の左右の周辺部にゲートドライバが一体形成される」ものの発明（引用発明２）は引用刊行物２に記載されており、この引用発明２の「液晶パネル中央部の有効表示部の左右の周辺部にゲートドライバを一体形成する」という構成を、引用発明１の「液晶パネル部の片側に駆動回路を形成する」という構成に代えて採用し、駆動回路を液晶パネル部の接続部と対向する領域に対する両端部に形成することは当業者が容易になし得ることであり、その際該駆動回路のうちの一端側及び他端側の駆動回路をそれぞれ接続部の一端側及び他端側に形成された配線と接続して駆動用信号を供給するとともに、駆動回路へ供給すべき駆動用信号の供給ラインがデータ処理回路の回路基板に配線されるようにすることは当業者が適宜なし得る程度のことであるから、上記相違点に係る本願発明の技術的事項とすることは当業者が容易になし得ることである。
 　 
　そして、本願発明によってもたされる効果は、上記引用発明１、２から当業者が予測し得る程度のものである。
　
５．むすび　
　したがって、本願発明は、引用刊行物１及び２に記載された発明に基づいて当業者が容易に発明をすることができたものであるから、特許法第２９条第２項の規定により、特許を受けることができない。
　
　よって、結論のとおり審決する。